(57)【特許請求の範囲】
【請求項１】
スクロールバーに対する移動操作を検知する検知手段と、
前記検知手段によって検知された移動操作に基づいて、項目表示領域の中央に表示される項目を取得する第１の項目取得手段と、
前記第１の項目取得手段によって取得された項目に対して予め定められた範囲内にある項目を取得する第２の項目取得手段と、
前記第２の項目取得手段によって取得された項目内にある選択された項目を含むように、前記項目表示領域に表示した場合に、該項目の領域のサイズを算出するサイズ算出手段と、
前記サイズ算出手段によって算出された領域のサイズに基づいて、項目を前記項目表示領域に表示する表示手段
を具備することを特徴とする情報処理装置。
【請求項２】
前記検知手段は、移動操作として停止を検知し、
前記第１の項目取得手段は、前記検知手段が停止を検知した後に、項目表示領域の中央に表示される項目を取得する処理を行う
ことを特徴とする請求項１に記載の情報処理装置。
【請求項３】
前記表示手段は、前記項目以外に、選択された項目が項目全体の中でどの位置にあるかを判別できる領域である項目位置表示領域を表示する
ことを特徴とする請求項１又は２に記載の情報処理装置。
【請求項４】
前記検知手段は、前記項目位置表示領域に対する操作を検知し、
前記表示手段は、前記検知手段によって検知された操作が行われた前記項目位置表示領域の位置に該当する項目の属性を表示する
ことを特徴とする請求項３に記載の情報処理装置。
【請求項５】
前記検知手段は、前記項目位置表示領域に対する移動操作を検知し、
前記表示手段は、前記検知手段によって移動操作が検知された場合であって、移動先の項目が複数の項目を含むグループであるときは、該グループに含まれる項目を前記項目表示領域に表示する
ことを特徴とする請求項３又は４に記載の情報処理装置。
【請求項６】
項目内の文字数に基づいて項目領域のサイズを決定する文字数優先か否かを設定する設定手段
を更に具備し、
前記表示手段は、前記設定手段によって文字数優先が設定された場合は、項目内の文字数に基づいて、項目の領域のサイズを決定し、該項目を表示する
ことを特徴とする請求項１から５のいずれか一項に記載の情報処理装置。
【請求項７】
コンピュータを、
スクロールバーに対する移動操作を検知する検知手段と、
前記検知手段によって検知された移動操作に基づいて、項目表示領域の中央に表示される項目を取得する第１の項目取得手段と、
前記第１の項目取得手段によって取得された項目に対して予め定められた範囲内にある項目を取得する第２の項目取得手段と、
前記第２の項目取得手段によって取得された項目内にある選択された項目を含むように、前記項目表示領域に表示した場合に、該項目の領域のサイズを算出するサイズ算出手段と、
前記サイズ算出手段によって算出された領域のサイズに基づいて、項目を前記項目表示領域に表示する表示手段
として機能させるための情報処理プログラム。
【発明の詳細な説明】
【技術分野】
【０００１】
本発明は、情報処理装置及び情報処理プログラムに関する。
【背景技術】
【０００２】
特許文献１には、電子機器の操作画面に多くの選択項目を表示しても、表示内容の確認や検索が行い易くし、もって操作性の高い項目表示制御装置を提供することを課題とし、入力手段及び注目点検出手段により、利用者が現在注目している選択項目の表示画面を検出し、検出された注目点の表示画面に応じて、項目表示制御手段は、項目情報保持手段に保持されている表示項目の情報に従い、注目点の選択項目を最大の大きさに表示させ、周辺の項目の画面を段階的に小さく表示させるように制御し、すなわち、注目点の選択項目を最大に、注目点から離れるに従い徐々に小さくして、表示手段に表示させ、注目点を移動させる入力手段への入力は、キーボードのカーソルを押下げたり、表示手段に付加されたタッチパネルに触れることによって行うことが開示されている。
【０００３】
特許文献２には、画面をスクロール操作した後に、簡単に初期画面に復帰させる技術を提供することを課題とし、画面上に表示される表示物のスクロール操作を行うためのスクロール操作部と現在のスクロール位置とを表示するスクロール位置表示部とを含むスクロールバーを備えた表示装置に用いられ、（ａ）画面のスクロールを開始する画面スクロール開始時点におけるスクロール開始位置を記憶するスクロール開始位置記憶ステップと、（ｂ）スクロール操作を行うステップと、（ｃ）スクロール操作を終了した後に、前記スクロール開始位置まで自動的に逆スクロールする画面自動復帰ステップとを含むことが開示されている。
【先行技術文献】
【特許文献】
【０００４】
【特許文献１】特開２０００−１９４４６９号公報
【特許文献２】特開２００３−０９９１７６号公報
【発明の概要】
【発明が解決しようとする課題】
【０００５】
本発明は、スクロールバーを用いて項目を表示する場合に、画面上に選択された項目を効率よく表示することができるようにした情報処理装置及び情報処理プログラムを提供することを目的としている。
【課題を解決するための手段】
【０００６】
かかる目的を達成するための本発明の要旨とするところは、次の各項の発明に存する。
請求項１の発明は、スクロールバーに対する移動操作を検知する検知手段と、前記検知手段によって検知された移動操作に基づいて、項目表示領域の中央に表示される項目を取得する第１の項目取得手段と、前記第１の項目取得手段によって取得された項目に対して予め定められた範囲内にある項目を取得する第２の項目取得手段と、前記第２の項目取得手段によって取得された項目内にある選択された項目を含むように、前記項目表示領域に表示した場合に、該項目の領域のサイズを算出するサイズ算出手段と、前記サイズ算出手段によって算出された領域のサイズに基づいて、項目を前記項目表示領域に表示する表示手段を具備することを特徴とする情報処理装置である。
【０００７】
請求項２の発明は、前記検知手段は、移動操作として停止を検知し、前記第１の項目取得手段は、前記検知手段が停止を検知した後に、項目表示領域の中央に表示される項目を取得する処理を行うことを特徴とする請求項１に記載の情報処理装置である。
【０００８】
請求項３の発明は、前記表示手段は、前記項目以外に、選択された項目が項目全体の中でどの位置にあるかを判別できる領域である項目位置表示領域を表示することを特徴とする請求項１又は２に記載の情報処理装置である。
【０００９】
請求項４の発明は、前記検知手段は、前記項目位置表示領域に対する操作を検知し、前記表示手段は、前記検知手段によって検知された操作が行われた前記項目位置表示領域の位置に該当する項目の属性を表示することを特徴とする請求項３に記載の情報処理装置である。
【００１０】
請求項５の発明は、前記検知手段は、前記項目位置表示領域に対する移動操作を検知し、前記表示手段は、前記検知手段によって移動操作が検知された場合であって、移動先の項目が複数の項目を含むグループであるときは、該グループに含まれる項目を前記項目表示領域に表示することを特徴とする請求項３又は４に記載の情報処理装置である。
【００１１】
請求項６の発明は、項目内の文字数に基づいて項目領域のサイズを決定する文字数優先か否かを設定する設定手段を更に具備し、前記表示手段は、前記設定手段によって文字数優先が設定された場合は、項目内の文字数に基づいて、項目の領域のサイズを決定し、該項目を表示することを特徴とする請求項１から５のいずれか一項に記載の情報処理装置である。
【００１２】
請求項７の発明は、コンピュータを、スクロールバーに対する移動操作を検知する検知手段と、前記検知手段によって検知された移動操作に基づいて、項目表示領域の中央に表示される項目を取得する第１の項目取得手段と、前記第１の項目取得手段によって取得された項目に対して予め定められた範囲内にある項目を取得する第２の項目取得手段と、前記第２の項目取得手段によって取得された項目内にある選択された項目を含むように、前記項目表示領域に表示した場合に、該項目の領域のサイズを算出するサイズ算出手段と、前記サイズ算出手段によって算出された領域のサイズに基づいて、項目を前記項目表示領域に表示する表示手段として機能させるための情報処理プログラムである。
【発明の効果】
【００１３】
請求項１の情報処理装置によれば、スクロールバーを用いて項目を表示する場合に、選択された項目を含み、閲覧者が選択項目を効率よく視認できるように表示することができる。
【００１４】
請求項２の情報処理装置によれば、スクロールバーに対する操作が行われている最中に、処理が行われることを防止することができる。
【００１５】
請求項３の情報処理装置によれば、操作者は、選択された項目が項目全体の中でどの位置にあるかを判別できるようになる。
【００１６】
請求項４の情報処理装置によれば、選択された項目の属性を表示することができる。
【００１７】
請求項５の情報処理装置によれば、グループに含まれる項目を項目表示領域に表示することができる。
【００１８】
請求項６の情報処理装置によれば、文字数優先か否かの設定によって、項目領域のサイズを決定することができる。
【００１９】
請求項７の情報処理プログラムによれば、スクロールバーを用いて項目を表示する場合に、選択された項目を含み、閲覧者が選択項目を効率よく視認できるように表示することができる。
【図面の簡単な説明】
【００２０】
【図１】本実施の形態の構成例についての概念的なモジュール構成図である。
【図２】本実施の形態を実現するにあたっての構成例についての概念的なモジュール構成図である。
【図３】第１の実施の形態による処理例を示すフローチャートである。
【図４】第１の実施の形態による処理例を示す説明図である。
【図５】第１の実施の形態による処理例を示す説明図である。
【図６】第１の実施の形態による処理例を示す説明図である。
【図７】第２の実施の形態による処理例を示すフローチャートである。
【図８】第２の実施の形態による処理例を示す説明図である。
【図９】第２の実施の形態による処理例を示す説明図である。
【図１０】第３の実施の形態による処理例を示す説明図である。
【図１１】第３の実施の形態による処理例を示す説明図である。
【図１２】第４の実施の形態による処理例を示す説明図である。
【図１３】第５の実施の形態による処理例を示す説明図である。
【図１４】第５の実施の形態による処理例を示す説明図である。
【図１５】第５の実施の形態による処理例を示す説明図である。
【図１６】第５の実施の形態による処理例を示す説明図である。
【図１７】第５の実施の形態による処理例を示す説明図である。
【図１８】第６の実施の形態による処理例を示す説明図である。
【図１９】第６の実施の形態による処理例を示す説明図である。
【図２０】本実施の形態を実現するコンピュータのハードウェア構成例を示すブロック図である。
【発明を実施するための形態】
【００２１】
以下、図面に基づき本発明を実現するにあたっての好適な各種の実施の形態の例を説明する。
＜第１の実施の形態＞
図１は、第１の実施の形態の構成例についての概念的なモジュール構成図を示している。
なお、モジュールとは、一般的に論理的に分離可能なソフトウェア（コンピュータ・プログラム）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、それらのモジュールとして機能させるためのコンピュータ・プログラム（コンピュータにそれぞれの手順を実行させるためのプログラム、コンピュータをそれぞれの手段として機能させるためのプログラム、コンピュータにそれぞれの機能を実現させるためのプログラム）、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させる、又は記憶装置に記憶させるように制御するの意である。また、モジュールは機能に一対一に対応していてもよいが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（データの授受、指示、データ間の参照関係等）の場合にも用いる。「予め定められた」とは、対象としている処理の前に定まっていることをいい、本実施の形態による処理が始まる前はもちろんのこと、本実施の形態による処理が始まった後であっても、対象としている処理の前であれば、そのときの状況・状態に応じて、又はそれまでの状況・状態に応じて定まることの意を含めて用いる。「予め定められた値」が複数ある場合は、それぞれ異なった値であってもよいし、２以上の値（もちろんのことながら、全ての値も含む）が同じであってもよい。また、「Ａである場合、Ｂをする」という意味を有する記載は、「Ａであるか否かを判断し、Ａであると判断した場合はＢをする」の意味で用いる。ただし、Ａであるか否かの判断が不要である場合を除く。
また、システム又は装置とは、複数のコンピュータ、ハードウェア、装置等がネットワーク（一対一対応の通信接続を含む）等の通信手段で接続されて構成されるほか、１つのコンピュータ、ハードウェア、装置等によって実現される場合も含まれる。「装置」と「システム」とは、互いに同義の用語として用いる。もちろんのことながら、「システム」には、人為的な取り決めである社会的な「仕組み」（社会システム）にすぎないものは含まない。
また、各モジュールによる処理毎に又はモジュール内で複数の処理を行う場合はその処理毎に、対象となる情報を記憶装置から読み込み、その処理を行った後に、処理結果を記憶装置に書き出すものである。したがって、処理前の記憶装置からの読み込み、処理後の記憶装置への書き出しについては、説明を省略する場合がある。なお、ここでの記憶装置としては、ハードディスク、ＲＡＭ（Ｒａｎｄｏｍ  Ａｃｃｅｓｓ  Ｍｅｍｏｒｙ）、外部記憶媒体、通信回線を介した記憶装置、ＣＰＵ（Ｃｅｎｔｒａｌ  Ｐｒｏｃｅｓｓｉｎｇ  Ｕｎｉｔ）内のレジスタ等を含んでいてもよい。
【００２２】
第１の実施の形態である情報処理装置は、図１の例に示すように、スクロールバー操作検知モジュール１１０、中央項目取得モジュール１１５、周辺項目取得モジュール１２０、判断モジュール１２５、項目表示サイズ算出モジュール１３０、表示モジュール１３５を有している。
本実施の形態は、スクロールバーを用いて項目を表示する場合に適用されるものである。その項目は、予め定められた規則（例えば、タイトルのアルファベット順等）に沿った順番で表示される。項目を表示する領域（項目表示領域）には、全ての項目を表示できない場合に、スクロールバーを用いて、全ての項目を表示可能なようにしている。ただし、この場合であっても、項目表示領域のサイズは決まっているので、その項目表示領域内に１度で表示できる項目数は予め定められた数（項目表示領域（例えば、高さ）のサイズを項目領域（例えば、高さ）のサイズで除した数）となってしまうのが一般的である。
なお、項目としては、スクロールバーを用いて表示する対象であればよく、例えば、文書名、メールのタイトル、氏名、住所等があり、また、ファクス、複合機（スキャナ、プリンタ、コピー、ファクス等のいずれか２つ以上の機能を有している画像処理装置）等に適用する場合は、アドレス帳におけるファクス番号、メールアドレス、ＳＩＰ（Ｓｅｓｓｉｏｎ  Ｉｎｉｔｉａｔｉｏｎ  Ｐｒｏｔｏｃｏｌ）等が該当する。本実施の形態では、項目として、複合機におけるアドレス帳に適用した例を用いて説明する。
【００２３】
また、表示している項目に対して処理を行う場合に、その処理対象となる項目を選択することがある。例えば、ファクスの一斉同報を行うためにアドレスを選択する場合等がある。したがって、選択した項目を項目表示領域に多く表示させるために、本実施の形態は、項目の領域のサイズを変更して表示する。なお、選択操作としては、項目を長押し又は単にクリック等の操作がある。
また、項目の領域の縮小の限度を示す閾値を設定しておき、選択状態にある項目が多数の場合、つまり、項目の領域のサイズが閾値以下の場合は項目の領域をそれ以上は縮小しないようにする。更に、項目の領域の拡大の限度を示す閾値も設定しておき、選択状態にある項目が少ない場合、項目の領域のサイズが閾値以下になるように拡大して表示する。
【００２４】
スクロールバー操作検知モジュール１１０は、中央項目取得モジュール１１５と接続されている。スクロールバー操作検知モジュール１１０は、スクロールバーに対する移動操作を検知する。スクロールバーに対する移動操作としては、操作者の操作（例えば、マウス、矢印キー、タッチパネル等の操作）によって、ノブ部分（いわゆるつまみ、現在表示されている位置や、全体に占める割合などを表現する部分）がドラッグ等されることをいう。移動操作に応じて、項目表示領域を移動する事ができる。なお、スクロールバーに対する移動操作としては、必ずしも画面に表示されているスクロールバーの操作だけでなく、項目表示領域を上方向又は下方向に移動させる指の動き等も含む。
【００２５】
中央項目取得モジュール１１５は、スクロールバー操作検知モジュール１１０、周辺項目取得モジュール１２０と接続されている。中央項目取得モジュール１１５は、スクロールバー操作検知モジュール１１０によって検知された移動操作に基づいて、項目表示領域の中央に表示される項目を取得する。なお、項目表示領域（以下、「スクロール画面」ともいう）とは、複数の項目を表示する領域であり、スクロールバーに対する操作によって、表示が制御される領域である。また、項目表示領域の中央とは、項目表示領域の縦方向における中心に位置することであり、縦方向を２等分する位置又はその周辺（２等分する位置から予め定められた範囲内）である。項目表示領域内に表示されている項目が対象となる。
【００２６】
周辺項目取得モジュール１２０は、中央項目取得モジュール１１５、判断モジュール１２５と接続されている。周辺項目取得モジュール１２０は、中央項目取得モジュール１１５によって取得された項目に対して予め定められた範囲内にある項目を取得する。予め定められた範囲としては、中央項目取得モジュール１１５によって取得された項目の前後いくつかを指定するものである。例えば、縮小の閾値（図３の例に示すフローチャート内のステップＳ３１４で用いる縮小の閾値）で項目を表示した場合に、項目表示領域内に表示できる項目数に基づいて、予め定められた範囲を定めるようにしてもよい。
【００２７】
判断モジュール１２５は、周辺項目取得モジュール１２０、項目表示サイズ算出モジュール１３０と接続されている。判断モジュール１２５は、表示することが可能な項目は、全て項目表示領域に表示可能であるか否かを判断する。全ての項目を項目表示領域に表示可能である場合は、項目表示サイズ算出モジュール１３０による処理は行わない。選択した項目もその項目表示領域に含まれていることになるからである。項目表示領域には全ての項目を表示できない場合（スクロールバーを用いる場合）は、項目表示サイズ算出モジュール１３０による処理を行う。なお、判断モジュール１２５は不要な場合もあり、その場合は、周辺項目取得モジュール１２０と項目表示サイズ算出モジュール１３０が接続されていることになる。また、判断モジュール１２５を、スクロールバー操作検知モジュール１１０と中央項目取得モジュール１１５の間に設置してもよい。
【００２８】
項目表示サイズ算出モジュール１３０は、判断モジュール１２５、表示モジュール１３５と接続されている。項目表示サイズ算出モジュール１３０は、周辺項目取得モジュール１２０によって取得された項目内にある選択された項目を含むように、項目表示領域に表示した場合に、その項目の領域のサイズを算出する。具体的には、周辺項目取得モジュール１２０によって取得された項目のうち、選択された項目の最初のものと最後のものを抽出し、最初のものから最後のものまでの項目数を算出する。そして、項目表示領域の縦のサイズを項目数で除算することによって、項目の領域のサイズを算出する。以下、項目の領域を「項目ボタン」ともいう。また、項目ボタンのサイズを変更することを「拡大縮小」ともいう。
表示モジュール１３５は、項目表示サイズ算出モジュール１３０と接続されている。表示モジュール１３５は、項目表示サイズ算出モジュール１３０によって算出された領域のサイズに基づいて、項目を表示する。サイズの変更には、領域のサイズの変更のみならず、その領域内に含まれている文字、図形等を含めて拡大縮小してもよい。したがって、その場合、項目を小さいサイズに変更するときは、その項目内の文字も縮小し、項目を大きいサイズに変更するときは、その項目内の文字も拡大する。
【００２９】
図２は、本実施の形態を実現するにあたっての構成例についての概念的なモジュール構成図である。情報処理装置２００は、システム処理モジュール２１０、項目情報記憶モジュール２１５、ＵＩ制御モジュール２２０、ＲｉｃｈＵＩ制御モジュール２２５、閾値判定モジュール２３０、閾値設定モジュール２３５、拡大縮小処理モジュール２４０を有している。
システム処理モジュール２１０は、項目情報記憶モジュール２１５、ＵＩ制御モジュール２２０、ＲｉｃｈＵＩ制御モジュール２２５、閾値判定モジュール２３０、閾値設定モジュール２３５、拡大縮小処理モジュール２４０と接続されている。項目情報記憶モジュール２１５は、システム処理モジュール２１０と接続されている。ＵＩ制御モジュール２２０は、システム処理モジュール２１０と接続されている。ＲｉｃｈＵＩ制御モジュール２２５は、システム処理モジュール２１０と接続されている。閾値判定モジュール２３０は、システム処理モジュール２１０、閾値設定モジュール２３５と接続されている。閾値設定モジュール２３５は、システム処理モジュール２１０、閾値判定モジュール２３０と接続されている。拡大縮小処理モジュール２４０は、システム処理モジュール２１０と接続されている。
【００３０】
閾値設定モジュール２３５には、スクロール画面を拡大縮小の判定で使用する項目ボタンのサイズの最大値と最小値の設定値が保存されている。更に、スクロール画面の拡大縮小をせずに表示する項目数の基準範囲Ａと、スクロール画面を移動時に取得する近傍項目数が閾値設定モジュール２３５に記憶されている。そして、項目情報記憶モジュール２１５には、複合機に登録された全項目情報（例えば、アドレス帳）が記憶されている。
【００３１】
ＵＩ制御モジュール２２０は、ユーザーがスクロール画面をスクロール操作した際、スクロール画面に表示する項目位置が移動した事をシステム処理モジュール２１０に通知する。システム処理モジュール２１０は、ＵＩ制御モジュール２２０から通知された次画面で表示する項目情報を項目情報記憶モジュール２１５から取得する。なお、項目情報は、予め定められた属性（例えば、文書名、タイトル名、作成日時等）によってソートされている。
更に、システム処理モジュール２１０は、閾値設定モジュール２３５に記憶された近傍項目数に応じて、ＵＩ制御モジュール２２０から通知された項目位置の近傍にある項目情報を取得する。取得した項目情報はＲｉｃｈＵＩ制御モジュール２２５に通知される。
ＲｉｃｈＵＩ制御モジュール２２５は、通知された項目情報から、その中に含まれている選択済み項目をスクロール画面に表示する場合、スクロール画面に表示される項目数を計算する。更に、ＲｉｃｈＵＩ制御モジュール２２５は、スクロール画面に表示予定の項目数が基準範囲Ａ内か閾値判定モジュール２３０に判断依頼する。閾値判定モジュール２３０の判定結果として、表示予定の項目数が基準範囲Ａ内であれば、ＲｉｃｈＵＩ制御モジュール２２５は標準サイズのスクロール画面で全選択済み項目を表示するようにＵＩ制御モジュール２２０に依頼する。ＵＩ制御モジュール２２０は標準サイズでスクロール画面を表示する。
【００３２】
閾値判定モジュール２３０の判定結果として、表示予定の項目数が基準範囲Ａより多い場合、ＲｉｃｈＵＩ制御モジュール２２５はスクロール画面に選択済みの項目を表示する場合、縮小される項目ボタンのサイズを計算する。更に、閾値判定モジュール２３０に縮小される項目ボタンのサイズを通知して、項目ボタンの縮小判断を依頼する。閾値判定モジュール２３０は閾値設定モジュール２３５に保存された項目ボタンのサイズの最小値を取得して、ＲｉｃｈＵＩ制御モジュール２２５から通知された項目ボタンのサイズより小さいか判定する。項目ボタンの最小値より小さい場合、ＲｉｃｈＵＩ制御モジュール２２５に項目ボタンを最小値のサイズで画面表示するように依頼する。ＲｉｃｈＵＩ制御モジュール２２５は閾値判定モジュール２３０の項目ボタンの縮小サイズの判定結果に応じて、項目ボタンを縮小してスクロール画面を作成後、ＵＩ制御モジュール２２０にスクロール画面の表示を依頼する。
【００３３】
閾値判定モジュール２３０の判定結果として、表示予定の項目数が基準範囲Ａより少ない場合、ＲｉｃｈＵＩ制御モジュール２２５はスクロール画面に全選択済みの項目を表示する場合、拡大される項目ボタンのサイズを計算する。更に、閾値判定モジュール２３０に拡大される項目ボタンのサイズを通知して、項目ボタンの拡大判断を依頼する。閾値判定モジュール２３０は閾値設定モジュール２３５に保存された項目ボタンのサイズの最大値を取得して、ＲｉｃｈＵＩ制御モジュール２２５から通知された項目ボタンのサイズより大きいか判定する。項目ボタンのサイズが項目ボタンの最大値より大きい場合、ＲｉｃｈＵＩ制御モジュール２２５に項目ボタンを最大値のサイズで画面表示するように依頼する。ＲｉｃｈＵＩ制御モジュール２２５は閾値判定モジュール２３０の項目ボタンの拡大サイズの判定結果に応じて、項目ボタンを拡大してスクロール画面を作成後、ＵＩ制御モジュール２２０にスクロール画面の表示を依頼する。
【００３４】
図３は、第１の実施の形態による処理例を示すフローチャートである。
ステップＳ３０２では、スクロールバー操作検知モジュール１１０が、スクロールバーの移動を検知する。
ステップＳ３０４では、中央項目取得モジュール１１５が、スクロール領域の中央にある項目を取得する。
ステップＳ３０６では、周辺項目取得モジュール１２０が、取得した項目の周辺にある項目を取得する。
ステップＳ３０８では、判断モジュール１２５が、表示対象としている項目数が基準値の範囲内であるか否かを判断し、範囲内である場合はステップＳ３２６へ進み、それ以外の場合はステップＳ３１０へ進む。
【００３５】
ステップＳ３１０では、項目表示サイズ算出モジュール１３０が、全選択済み項目を表示した場合の項目領域サイズを計算する。
ステップＳ３１２では、表示モジュール１３５が、表示する項目数が基準範囲より多いか否かを判断し、多い場合はステップＳ３１４へ進み、それ以外の場合はステップＳ３２０へ進む。
ステップＳ３１４では、表示モジュール１３５が、項目領域サイズが縮小の閾値以下であるか否かを判断し、縮小の閾値以下である場合はステップＳ３１６へ進み、それ以外の場合はステップＳ３１８へ進む。なお、縮小の閾値として、縮小率を項目領域サイズに変換したものであってもよいし、逆に、項目領域サイズを縮小率に変換して比較するようにしてもよい。
ステップＳ３１６では、表示モジュール１３５が、閾値の縮小率で項目領域を縮小して表示する。
ステップＳ３１８では、表示モジュール１３５が、選択項目が表示されるように項目領域を縮小して表示する。
【００３６】
ステップＳ３２０では、表示モジュール１３５が、項目領域サイズが拡大の閾値以上であるか否かを判断し、拡大の閾値以上である場合はステップＳ３２２へ進み、それ以外の場合はステップＳ３２４へ進む。なお、拡大の閾値として、拡大率を項目領域サイズに変換したものであってもよいし、逆に、項目領域サイズを拡大率に変換して比較するようにしてもよい。
ステップＳ３２２では、表示モジュール１３５が、閾値の拡大率で項目領域を拡大して表示する。
ステップＳ３２４では、表示モジュール１３５が、選択項目が表示されるように項目領域を拡大して表示する。
ステップＳ３２６では、表示モジュール１３５が、標準サイズの項目で項目表示領域に表示する。
なお、ステップＳ３１４、ステップＳ３２０では、項目領域サイズと縮小率又は拡大率の閾値との比較で判断しているが、縮小率又は拡大率の閾値で判断するのではなく、項目表示領域の最大表示件数を判断に使用してもよい。例えば、図４は最大件数を１０件までに設定したことになる。
【００３７】
具体例を示して説明する。
スクロールバーを移動した際、スクロール画面の中心位置にある項目の項目情報（位置番号）を取得する。位置番号はアドレス帳に登録された１〜１０００番の様な連番である。次に、取得した位置情報近辺にある項目情報を取得する。中央項目の近傍の幾つの項目情報を取得するかは別途指定可能である。更に、近傍項目情報から選択済み項目数を取得する。標準のスクロール画面サイズで表示可能な項目数の基準値の範囲内（以下、基準範囲Ａ）であれば、標準サイズのスクロール画面で項目を表示する。これは頻繁に拡大縮小するとかえって見づらい画面表示になることを防止するためである。基準範囲Ａ外の場合、選択済みの全項目をスクロール画面に表示される様に拡大／縮小した場合の項目ボタンのサイズを計算する。
【００３８】
次に、選択済みの項目を含めてスクロール画面に表示する項目数が基準範囲Ａより多い場合、全選択済み項目を表示するにはスクロール画面を縮小する必要がある。そのため項目ボタンのサイズが最小の閾値以下であれば、最小の閾値でスクロール画面内の項目ボタンを縮小して表示する。項目ボタンのサイズが最小の閾値より大きい場合、全選択済みの項目が表示されるようにスクロール画面内の項目ボタンを縮小して表示する。
また、項目数が基準範囲Ａより少ない場合、全選択済み項目を見易く表示するにはスクロール画面内の項目ボタンを拡大した方がよい。項目ボタンのサイズが最大の閾値以下であれば、全選択済みの項目が表示されるようにスクロール画面面内の項目ボタンを拡大して表示する。項目ボタンのサイズが最大の閾値より大であれば、最大の閾値でスクロール画面を拡大して表示する。
【００３９】
図４は、第１の実施の形態による処理例を示す説明図である。
ファクス宛先表画面４００は、例えば、複合機のタッチパネルに表示されている。そして、ファクス宛先表画面４００内には、スクロール画面４１０とそれに対応するノブ部分４２５、設定項目表示領域４４０とそれに対応するスクロールバー４５０がある。本実施の形態で対象とする項目表示領域、スクロールバーは、スクロール画面４１０、ノブ部分４２５である。
ユーザーの操作に基づいて、スクロール画面４１０内に表示されている項目が選択され、その状態で設定ボタン４３０が選択されると、選択された項目が設定項目表示領域４４０に移される。そして、設定項目表示領域４４０内の項目を、ファクスの宛先として設定するものである。
【００４０】
図４に示す例は、スクロール画面４１０の中央にある０００６の項目の近辺に３つの選択済みの項目（項目Ｎｏが０００１、０００９、００１０）が存在するため、その４つの項目を含めて表示されるようにスクロール画面４１０内の項目を縮小して表示する例である。
本実施の形態では、スクロール位置を変更して所望の位置で停止する操作した場合、スクロール画面４１０内中央の項目近辺の選択済みの項目情報を取得する。更に、スクロール画面４１０内中央の近辺で選択済みの項目が複数存在する場合、スクロール画面４１０内の項目ボタンを縮小して表示すると、項目ボタンのサイズが閾値以下にならないか判定する。項目ボタンのサイズが閾値以下になる場合、閾値の縮小率でスクロール画面４１０内の項目ボタンを縮小して表示する。ここでは、スクロール画面４１０内中央の付近に４つの選択済み項目があるため、この４つの項目をスクロール画面に表示できるように項目ボタンを縮小しても、その項目ボタンのサイズが閾値以下にならないか判定後、４つの項目ボタンを表示する例である。図４に示す例のように、縮小することによって一画面（スクロール画面４１０）で選択された４つの項目を確認することが可能になる。
【００４１】
図５は、第１の実施の形態による処理例を示す説明図である。
スクロール画面の項目を拡大したい場合、ジェスチャ操作をすることで、その項目を拡大することができる。例えば、項目Ｎｏ０００１の領域の両端に指を置き（図５内の操作図形５１０、操作図形５２０）、それを離す操作（図５内の矢印方向、いわゆるピンチアウト操作）を行うことによって、項目を拡大することができる。
【００４２】
図６は、第１の実施の形態による処理例を示す説明図である。
スクロール画面の中央の近辺に選択済み項目が少ない場合（図６の例では一つ）、スクロール画面を拡大して表示する。
【００４３】
＜第２の実施の形態＞
第１の実施の形態は、スクロール画面を切り替える度に、スクロール画面内の項目領域の拡大縮小が実施されるが、第２の実施の形態は、スクロール画面のスクロール操作の停止をトリガとして、スクロール画面の中心近辺にある選択済み項目が全て表示されるようにスクロール画面を縮小するものである。
第２の実施の形態のモジュール構成は、図１の例に示す第１の実施の形態のモジュール構成と同じである。
ただし、スクロールバー操作検知モジュール１１０は、移動操作として停止を検知する。停止とは、スクロール操作が終了したことを示す操作であり、ノブ部分を停止させる操作、移動操作が終了してから予め定められた時間停止したこと等がある。
そして、中央項目取得モジュール１１５は、スクロールバー操作検知モジュール１１０が停止を検知した後に、スクロール画面の中央に表示される項目を取得する処理を行う。つまり、移動操作が行われている間は、項目領域の拡大縮小処理は行わない。
【００４４】
図８、図９は、第２の実施の形態による処理例を示す説明図である。
図８の例は、スクロール画面に対して下方向にスクロール操作中のため（図８の例では操作図形８１０の矢印の下方向）、項目領域の拡大縮小処理は実施しない。スクロール操作が終了した場合、スクロール画面の中央付近にある項目の選択状態に応じて、項目を拡大縮小して表示する。図９の例は、スクロール操作が停止した際、スクロール画面の中央付近に選択された項目が一つだけのため、項目領域を拡大して表示している例である。
【００４５】
図７は、第２の実施の形態による処理例を示すフローチャートである。
ステップＳ７０２では、スクロールバー操作検知モジュール１１０が、スクロールバーの移動を検知する。
ステップＳ７０４では、スクロール操作が終了したか否かを判断し、終了した場合はステップＳ７０６へ進み、それ以外の場合はステップＳ７０２へ戻る。
ステップＳ７０６では、中央項目取得モジュール１１５が、スクロール領域の中央にある項目を取得する。
ステップＳ７０８では、周辺項目取得モジュール１２０が、取得した項目の周辺にある項目を取得する。
ステップＳ７１０では、判断モジュール１２５が、表示対象としている項目数が基準値の範囲内であるか否かを判断し、範囲内である場合はステップＳ７２８へ進み、それ以外の場合はステップＳ７１２へ進む。
【００４６】
ステップＳ７１２では、項目表示サイズ算出モジュール１３０が、全選択済み項目を表示した場合の項目領域サイズを計算する。
ステップＳ７１４では、表示モジュール１３５が、表示する項目数が基準範囲より多いか否かを判断し、多い場合はステップＳ７１６へ進み、それ以外の場合はステップＳ７２２へ進む。
ステップＳ７１６では、表示モジュール１３５が、項目領域サイズが縮小の閾値以下であるか否かを判断し、縮小の閾値以下である場合はステップＳ７１８へ進み、それ以外の場合はステップＳ７２０へ進む。なお、縮小の閾値として、縮小率を項目領域サイズに変換したものであってもよいし、逆に、項目領域サイズを縮小率に変換して比較するようにしてもよい。
ステップＳ７１８では、表示モジュール１３５が、閾値の縮小率で項目領域を縮小して表示する。
ステップＳ７２０では、表示モジュール１３５が、選択項目が表示されるように項目領域を縮小して表示する。
【００４７】
ステップＳ７２２では、表示モジュール１３５が、項目領域サイズが拡大の閾値以上であるか否かを判断し、拡大の閾値以上である場合はステップＳ７２４へ進み、それ以外の場合はステップＳ７２６へ進む。なお、拡大の閾値として、拡大率を項目領域サイズに変換したものであってもよいし、逆に、項目領域サイズを拡大率に変換して比較するようにしてもよい。
ステップＳ７２４では、表示モジュール１３５が、閾値の拡大率で項目領域を拡大して表示する。
ステップＳ７２６では、表示モジュール１３５が、選択項目が表示されるように項目領域を拡大して表示する。
ステップＳ７２８では、表示モジュール１３５が、標準サイズの項目で項目表示領域に表示する。
なお、ステップＳ７１６、ステップＳ７２２では、項目領域サイズと縮小率又は拡大率の閾値との比較で判断しているが、縮小率又は拡大率の閾値で判断するのではなく、項目表示領域の最大表示件数を判断に使用してもよい。
【００４８】
具体例を示して説明する。
第２の実施の形態では、スクロール操作中は項目ボタンの拡大縮小を実施しない。スクロール操作が終了した場合、停止したスクロール画面の中央位置にある項目情報（位置番号）を取得する。位置番号はアドレス帳に登録された１〜１０００番の様な連番である。次に、取得した位置情報近辺にある項目情報を取得する。中央項目の近傍の幾つの項目情報を取得するかは別途指定可能である。更に、近傍項目情報から選択済み項目数を取得する。標準のスクロール画面サイズで表示可能な項目数の基準範囲Ａであれば、標準サイズのスクロール画面で項目を表示する。基準範囲Ａ外の場合、選択済みの全項目がスクロール画面に表示される様に拡大／縮小した場合の項目ボタンのサイズを計算する。
【００４９】
次に、選択済みの項目を含めてスクロール画面に表示する項目数が基準範囲Ａより多い場合、全選択済み項目を表示するにはスクロール画面を縮小する必要がある。そのため項目ボタンのサイズが最小の閾値以下であれば、最小の閾値（縮小率）でスクロール画面内の項目ボタンを縮小して表示する。項目ボタンのサイズが最小の閾値より大きい場合、全選択済みの項目が表示されるようにスクロール画面内の項目ボタンを縮小して表示する。
また、項目数が基準範囲Ａより少ない場合、全選択済み項目を見易く表示するにはスクロール画面内の項目ボタンを拡大した方がよい。項目ボタンのサイズが最大の閾値以下であれば、全選択済みの項目が表示されるようにスクロール画面面内の項目ボタンを拡大して表示する。項目ボタンのサイズが最大の閾値より大であれば、最大の閾値（拡大率）でスクロール画面内の項目ボタンを拡大して表示する。
【００５０】
前述の実施の形態では、スクロール操作が終了した際、スクロール画面の中央にある項目の種別を考慮していないが、スクロール画面を停止する場合、表示されたスクロール画面にユーザー所望の項目種別が含まれている筈である。
例えば、スクロール画面の中心位置にある項目の種別（メール、ファクス等）を取得して、同一種別の選択済み項目がスクロール画面に表示されるように拡大縮小してもよい。つまり、ファクス送信相手の項目をスクロール画面で探す場合、選択済みのファクス項目をスクロール画面に表示してもよい。
【００５１】
＜第３の実施の形態＞
第３の実施の形態のモジュール構成は、図１の例に示す第１の実施の形態のモジュール構成と同じである。
ただし、表示モジュール１３５は、項目表示領域に表示されている項目以外に、選択された項目が項目全体の中でどの位置にあるかを判別できる領域である項目位置表示領域を表示する。項目位置表示領域とは、具体的には、図１０の例に示す項目位置表示領域１０１０である。図１０は、第３の実施の形態による処理例を示す説明図である。この例は、選択済みの項目の位置を判別できる様に補助情報としての項目位置表示領域１０１０を表示したものである。なお、項目位置表示領域１０１０の表示位置は、スクロールバー４２０の近辺（隣）であることが好ましい。
【００５２】
スクロール画面４１０で項目ボタンを選択すると、項目位置表示領域１０１０の表示バーに選択済み項目が分かる様にマーク（選択項目位置１０２０、１０２２、１０２４、１０２６、１０２８、１０３０）される。図１０の例では、項目位置表示領域１０１０内のマークの大きさから近辺にどのくらいの項目が選択済みか視認することができる。また、項目位置表示領域１０１０内のマーク（選択項目位置１０２０等）を選択することで、当該マーク位置の選択済み項目に移動（ジャンプ）して、スクロール画面４１０内に表示する。当該マーク位置の選択済み項目をスクロール画面４１０で移動して表示する際、移動位置の近辺にある選択済みの項目情報を取得して、各項目ボタンのサイズが閾値以下にならないように自動的に縮小してスクロール画面４１０内に項目を表示する。また、表示モジュール１３５が、項目情報記憶モジュール２１５内に記憶されている全項目情報を対象として選択された項目を抽出し、その項目の全項目内における位置（表示順にソートした場合における順序位置）を算出し、その位置に対応するように項目位置表示領域１０１０内のマーク位置を算出すればよい。
【００５３】
図１１は、第３の実施の形態による処理例を示す説明図である。
移動位置の近辺に選択済み項目が多数あり、全ての項目を画面表示できない場合、項目位置表示領域１０１０のマークの状態から非表示の選択項目があることが分かるようにしてもよい。図１１の例は、スクロール画面４１０で移動した近辺に選択済みの項目が表示しきれないほど多いため、項目位置表示領域１０１０に現在表示中の項目を示すマーク（表示選択項目位置１１５０）の表示色を、非表示の項目を示すマーク（選択項目位置１１２４、選択項目位置１１２６等）と区別して表示する。例えば、表示されている項目のマーク（表示選択項目位置１１５０）は濃紺、非表示の項目を示すマーク（選択項目位置１１２４、選択項目位置１１２６等）は青などである。
【００５４】
＜第４の実施の形態＞
第４の実施の形態のモジュール構成は、図１の例に示す第１の実施の形態のモジュール構成と同じである。
ただし、スクロールバー操作検知モジュール１１０は、項目位置表示領域に対する操作を検知する。
表示モジュール１３５は、スクロールバー操作検知モジュール１１０によって検知された操作が行われた項目位置表示領域の位置に該当する項目の属性を表示する。
【００５５】
図１２は、第４の実施の形態による処理例を示す説明図である。
図１２の例は、項目位置表示領域１０１０内のマーク（選択項目位置１２２４）を押下した際、その押下した位置に該当する項目の近辺に属性メール１２５２と属性ファクス１２５４の２種類の種別が存在する場合を示している。つまり、スクロールバー操作検知モジュール１１０が、項目位置表示領域１０１０の押下された位置を検知し、表示モジュール１３５が、その位置に該当する項目の属性を抽出し、その属性を表示している。例えば、項目情報記憶モジュール２１５内には、項目に属性が付与されて記憶されている。
また、項目位置表示領域１０１０内のマークが押下された際に、その位置近辺にあるメールとファクスのどちらを優先的に表示するかを、操作者の操作によって指定するようにしてもよい。例えば、ファクスが指定されてスクロール画面４１０を移動した場合、移動後のスクロール画面４１０は選択済みのファクス項目を画面表示するように拡大縮小される。つまり、指定された属性である選択済み項目を対象として、拡大縮小処理を施すようにしてもよい。
また、属性に応じて、項目位置表示領域１０１０のマークの表示形態（形状、模様、色彩、又はこれらの組み合わせ）を変更してもよい。例えば、メールとファクスでマークの表示色を変更してもよい。
【００５６】
＜第５の実施の形態＞
第５の実施の形態のモジュール構成は、図１の例に示す第１の実施の形態のモジュール構成と同じである。
ただし、スクロールバー操作検知モジュール１１０は、項目位置表示領域に対する移動操作を検知する。
表示モジュール１３５は、スクロールバー操作検知モジュール１１０によって移動操作が検知された場合であって、移動先の項目が複数の項目を含むグループであるときは、そのグループに含まれる項目を項目表示領域に表示する。
第５の実施の形態は、選択された項目位置に移動する場合、グループ項目を展開して移動するものである。
【００５７】
図１３〜１７は、第５の実施の形態による処理例を示す説明図である。
図１３の例は、グループ項目の登録画面の例である。宛先グループ登録画面１３００内には、グループ欄１３１０、登録宛先欄１３２０がある。例えば、０１番に項目が３件登録されたグループ「グループ項目１」が登録されていることを示している。グループ項目１に登録された項目は図１４の例で示すような項目である。
図１４の例では、「Ａ−１＜ファクス  ｘｘｘ−ｘｘｘ−ｘｘＡ１」、「Ａ−２＜ファクス  ｘｘｘ−ｘｘｘ−ｘｘＡ２」、「Ａ−３＜ファクス  ｘｘｘ−ｘｘｘ−ｘｘＡ３」の３つの項目がグループ「０１」に登録されている。例えば、項目情報記憶モジュール２１５内に、これらの項目とグループ番号０１を対応させて記憶する。
図１５の例では、項目位置表示領域１０１０内のグループ番号０１が登録されたマーク（選択項目位置１５２８）が押下されたとする。
図１６の例では、選択項目位置１５２８が押下された後、スクロール画面４１０内の表示される項目として、グループ番号０１が登録された位置に移動すると共に、グループ番号０１の内容（「Ａ−１＜ファクス  ｘｘｘ−ｘｘｘ−ｘｘＡ１」、「Ａ−２＜ファクス  ｘｘｘ−ｘｘｘ−ｘｘＡ２」、「Ａ−３＜ファクス  ｘｘｘ−ｘｘｘ−ｘｘＡ３」の３つの項目）が展開されてスクロール画面４１０に表示されている。
なお、グループ番号０１が展開されずにスクロール画面４１０に表示されている場合を図１７に示す。これは、スクロールバー４２０が用いられて移動した場合であって、項目位置表示領域１０１０が用いられて移動した場合とは異なる。つまり、項目位置表示領域１０１０が用いられて移動した場合は、図１６の例のようにグループが展開されて表示される。
【００５８】
＜第６の実施の形態＞
第６の実施の形態のモジュール構成は、図１の例に示す第１の実施の形態のモジュール構成と同じである。
ただし、項目内の文字数に基づいて項目領域のサイズを決定する文字数優先か否かを設定する設定モジュールが表示モジュール１３５内にある。
そして、表示モジュール１３５は、設定モジュールによって文字数優先が設定された場合は、項目内の文字数に基づいて、項目の領域のサイズを決定し、その項目を表示する。
第６の実施の形態は、選択状態にある項目内の文字数に応じて、項目領域を拡大縮小するものである。
例えば、文字数優先が設定された場合は、スクロール画面に選択状態にある項目ボタンが多数あるときでも、その項目ボタンに表示される文字数が多いときには視認性を良くするため項目ボタンを拡大して表示する。
【００５９】
図１８、１９は、第６の実施の形態による処理例を示す説明図である。
図１８の例では、選択状態にある項目ボタンが多数あるが、その項目ボタンに表示される文字数が多いため、拡大処理をする例を示している。
例えば、第１の実施の形態では、選択状態の項目ボタンを多数表示するため、項目ボタンを縮小して表示している（図１９の例参照）が、０００６の項目ボタンの表示文字数が多いため、その文字全てを表示できなくなる。
そのため、第６の実施の形態では、選択状態にある０００６の項目ボタンを拡大して、その項目内の全ての文字が表示できるようにする。この機能を有効とするか否かについては、設定可能とする。例えば、「表示文字の視認性優先」の設定がされている場合、図１８の例が表示される。また、「選択項目の表示優先」が設定されている場合は、図１９の例が表示される。
【００６０】
また、項目ボタン上に表示された文字数をどれくらい表示するかについても別途、指定可能とする。例えば、項目内の全ての文字を表示する設定の場合、選択された項目ボタン内に表示される文字を全て表示可能な程度に拡大する。また、項目内の全ての文字を表示すると項目ボタンのサイズの拡大閾値を超える場合、拡大閾値で項目ボタンを拡大してスクロール画面内に表示する。
逆に、項目ボタン内に表示される文字数が少ない場合、項目ボタンを縮小しても項目内の全ての文字が閲覧可能になるため、選択された項目ボタンを縮小してスクロール画面に表示する。
なお、スクロール画面の中央付近に複数の選択状態にある項目ボタンがある場合、各選択状態の項目ボタンの表示される文字数の平均値を拡大縮小の判定に用いてもよい。
また、項目としてアドレスを対象とした場合、同じ宛先名であるが異なるアドレス（具体的には、項目名（宛先名）は同じであるが、アドレスが複数（ファクスとメール）あって、アドレスに対応して項目としても複数）が選択されている項目としてある場合、そのような項目に移動すると検知した場合は、その複数の項目を並べて表示するようにしてもよい。
【００６１】
図２０を参照して、本実施の形態の情報処理装置のハードウェア構成例について説明する。図２０に示す構成は、例えばパーソナルコンピュータ（ＰＣ）などによって構成されるものであり、スキャナ等のデータ読み取り部２０１７と、プリンタなどのデータ出力部２０１８を備えたハードウェア構成例を示している。
【００６２】
ＣＰＵ（Ｃｅｎｔｒａｌ  Ｐｒｏｃｅｓｓｉｎｇ  Ｕｎｉｔ）２００１は、前述の実施の形態において説明した各種のモジュール、すなわち、スクロールバー操作検知モジュール１１０、中央項目取得モジュール１１５、周辺項目取得モジュール１２０、判断モジュール１２５、項目表示サイズ算出モジュール１３０、表示モジュール１３５、システム処理モジュール２１０、項目情報記憶モジュール２１５、ＵＩ制御モジュール２２０、ＲｉｃｈＵＩ制御モジュール２２５、閾値判定モジュール２３０、閾値設定モジュール２３５、拡大縮小処理モジュール２４０等の各モジュールの実行シーケンスを記述したコンピュータ・プログラムにしたがった処理を実行する制御部である。
【００６３】
ＲＯＭ（Ｒｅａｄ  Ｏｎｌｙ  Ｍｅｍｏｒｙ）２００２は、ＣＰＵ２００１が使用するプログラムや演算パラメータ等を格納する。ＲＡＭ（Ｒａｎｄｏｍ  Ａｃｃｅｓｓ  Ｍｅｍｏｒｙ）２００３は、ＣＰＵ２００１の実行において使用するプログラムや、その実行において適宜変化するパラメータ等を格納する。これらはＣＰＵバスなどから構成されるホストバス２００４により相互に接続されている。
【００６４】
ホストバス２００４は、ブリッジ２００５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの外部バス２００６に接続されている。
【００６５】
キーボード２００８、マウス等のポインティングデバイス２００９は、操作者により操作される入力デバイスである。ディスプレイ２０１０は、液晶表示装置又はＣＲＴ（Ｃａｔｈｏｄｅ  Ｒａｙ  Ｔｕｂｅ）などがあり、各種情報をテキストやイメージ情報として表示する。
【００６６】
ＨＤＤ（Ｈａｒｄ  Ｄｉｓｋ  Ｄｒｉｖｅ）２０１１は、ハードディスクを内蔵し、ハードディスクを駆動し、ＣＰＵ２００１によって実行するプログラムや情報を記録又は再生させる。ハードディスクには、項目情報や閾値などが格納される。更に、その他の各種のデータ処理プログラム等、各種コンピュータ・プログラムが格納される。
【００６７】
ドライブ２０１２は、装着されている磁気ディスク、光ディスク、光磁気ディスク、又は半導体メモリ等のリムーバブル記録媒体２０１３に記録されているデータ又はプログラムを読み出して、そのデータ又はプログラムを、インタフェース２００７、外部バス２００６、ブリッジ２００５、及びホストバス２００４を介して接続されているＲＡＭ２００３に供給する。リムーバブル記録媒体２０１３も、ハードディスクと同様のデータ記録領域として利用可能である。
【００６８】
接続ポート２０１４は、外部接続機器２０１５を接続するポートであり、ＵＳＢ、ＩＥＥＥ１３９４等の接続部を持つ。接続ポート２０１４は、インタフェース２００７、及び外部バス２００６、ブリッジ２００５、ホストバス２００４等を介してＣＰＵ２００１等に接続されている。通信部２０１６は、通信回線に接続され、外部とのデータ通信処理を実行する。データ読み取り部２０１７は、例えばスキャナであり、ドキュメントの読み取り処理を実行する。データ出力部２０１８は、例えばプリンタであり、ドキュメントデータの出力処理を実行する。
【００６９】
なお、図２０に示す情報処理装置のハードウェア構成は、１つの構成例を示すものであり、本実施の形態は、図２０に示す構成に限らず、本実施の形態において説明したモジュールを実行可能な構成であればよい。例えば、一部のモジュールを専用のハードウェア（例えば特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）等）で構成してもよく、一部のモジュールは外部のシステム内にあり通信回線で接続しているような形態でもよく、さらに図２０に示すシステムが複数互いに通信回線によって接続されていて互いに協調動作するようにしてもよい。また、複写機、ファクス、スキャナ、プリンタ、複合機などに組み込まれていてもよい。
【００７０】
なお、前述の実施の形態の説明において、予め定められた値との比較において、「以上」、「以下」、「より大きい」、「より小さい（未満）」としたものは、その組み合わせに矛盾が生じない限り、それぞれ「より大きい」、「より小さい（未満）」、「以上」、「以下」としてもよい。
【００７１】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通などのために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ  Ｄｉｓｃ（登録商標））、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ（登録商標））、フラッシュ・メモリ、ランダム・アクセス・メモリ（ＲＡＭ）、ＳＤ（Ｓｅｃｕｒｅ  Ｄｉｇｉｔａｌ）メモリーカード等が含まれる。
そして、前記のプログラム又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、あるいは無線通信ネットワーク、さらにこれらの組み合わせ等の伝送媒体を用いて伝送させてもよく、また、搬送波に乗せて搬送させてもよい。
更に、前記のプログラムは、他のプログラムの一部分であってもよく、あるいは別個のプログラムと共に記録媒体に記録されていてもよい。また、複数の記録媒体に分割して
記録されていてもよい。また、圧縮や暗号化など、復元可能であればどのような態様で記録されていてもよい。
【符号の説明】
【００７２】
１１０…スクロールバー操作検知モジュール
１１５…中央項目取得モジュール
１２０…周辺項目取得モジュール
１２５…判断モジュール
１３０…項目表示サイズ算出モジュール
１３５…表示モジュール
２００…情報処理装置
２１０…システム処理モジュール
２１５…項目情報記憶モジュール
２２０…ＵＩ制御モジュール
２２５…ＲｉｃｈＵＩ制御モジュール
２３０…閾値判定モジュール
２３５…閾値設定モジュール
２４０…拡大縮小処理モジュール
【図１】
0005870839.tif 000002
【図２】
0005870839.tif 000003
【図３】
0005870839.tif 000004
【図４】
0005870839.tif 000005
【図５】
0005870839.tif 000006
【図６】
0005870839.tif 000007
【図７】
0005870839.tif 000008
【図８】
0005870839.tif 000009
【図９】
0005870839.tif 000010
【図１０】
0005870839.tif 000011
【図１１】
0005870839.tif 000012
【図１２】
0005870839.tif 000013
【図１３】
0005870839.tif 000014
【図１４】
0005870839.tif 000015
【図１５】
0005870839.tif 000016
【図１６】
0005870839.tif 000017
【図１７】
0005870839.tif 000018
【図１８】
0005870839.tif 000019
【図１９】
0005870839.tif 000020
【図２０】
0005870839.tif 000021